(57)【要約】  【課題】  ユーザの誤操作又は誤解などによる記録媒体のフォーマットの防止を図ることができる記録媒体処理装置を提供する。  【解決手段】  記録媒体２０が載置されるトレイ２２と、トレイ２２の搬出／搬入を制御するトレイ駆動部２４と、受付けた記録指示又はフォーマット指示に応じて、搬入状態のトレイ２２に載置されている記録媒体２０へのデータの記録又はフォーマットを行う読出／書込部１８とを備える記録媒体処理装置において、フォーマット指示を受付けた場合、トレイ駆動部２４はトレイ２２を搬出状態にし、また、デコーダ１４はフォーマットに関する情報を出力する。【選択図】        図１
2005259290.tif 000002
【特許請求の範囲】
【請求項１】
外部から記録媒体を受入れる受入部と、該受入部が受入れた記録媒体のフォーマット実行指示を受付ける受付手段と、該受付手段が受付けたフォーマット実行指示に基づき前記記録媒体のフォーマット処理を行うフォーマット処理手段とを備える記録媒体処理装置において、
前記受付手段がフォーマット実行指示を受付けた場合、受入れた記録媒体を外部へ取出せる状態にする状態制御手段を備え、
前記受付手段は、該状態制御手段によって記録媒体が外部へ取出せる状態にされた後、フォーマット実行指示を再度受付けるようにしてあり、
前記受付手段がフォーマット実行指示を再度受付けた場合、前記受入部は記録媒体を受入れ、前記フォーマット処理手段は、受入れた記録媒体のフォーマット処理を実行するようにしてあることを特徴とする記録媒体処理装置。
【請求項２】
外部から記録媒体を受入れる受入部と、該受入部が受入れた記録媒体のフォーマット実行指示及びフォーマットの種類の指定を受付ける受付手段と、該受付手段が受付けたフォーマットの種類の指定及びフォーマット実行指示に基づき前記記録媒体のフォーマット処理を行うフォーマット処理手段とを備える記録媒体処理装置において、
前記受付手段がフォーマット実行指示を受付けた場合、受入れた記録媒体のフォーマットの種類を検出するフォーマット検出手段と、
該フォーマット検出手段がフォーマットの種類を検出した後、前記記録媒体にデータが記録されているか否かを検出するデータ検出手段と、
該データ検出手段がデータの記録を検出した場合、前記受付手段が受付けたフォーマットの種類、及び、前記フォーマット検出手段が検出したフォーマットの種類が同一であるか否かを判定する同一判定手段と、
該同一判定手段が同一でないと判定した場合、受入れた記録媒体を外部へ取出せる状態にする状態制御手段と
を備え、
前記受付手段は、該状態制御手段によって記録媒体が外部へ取出せる状態にされた後、フォーマット実行指示を再度受付けるようにしてあり、
前記受付手段がフォーマット実行指示を再度受付けた場合、前記受入部は記録媒体を受入れ、前記フォーマット処理手段は、受入れた記録媒体のフォーマット処理を実行するようにしてあることを特徴とする記録媒体処理装置。
【請求項３】
外部から記録媒体を受入れる受入部と、該受入部が受入れた記録媒体のフォーマット実行指示を受付ける受付手段と、該受付手段が受付けたフォーマット実行指示に基づき前記記録媒体のフォーマット処理を行うフォーマット処理手段とを備える記録媒体処理装置において、
前記受付手段がフォーマット実行指示を受付けた場合、受入れた記録媒体に記録されているデータの一部を読出す読出手段と、
該読出手段が読出したデータの一部を外部へ出力する出力手段と
を備え、
前記受付手段は、該出力手段が前記データの一部を出力した後、フォーマット実行指示を再度受付けるようにしてあり、
前記受付手段がフォーマット実行指示を再度受付けた場合、前記フォーマット処理手段は、前記記録媒体のフォーマット処理を実行するようにしてあることを特徴とする記録媒体処理装置。
【請求項４】
外部から記録媒体を受入れる受入部と、該受入部が受入れた記録媒体のフォーマット実行指示及びフォーマットの種類の指定を受付ける受付手段と、該受付手段が受付けたフォーマットの種類の指定及びフォーマット実行指示に基づき前記記録媒体のフォーマット処理を行うフォーマット処理手段とを備える記録媒体処理装置において、
前記受付手段がフォーマット実行指示を受付けた場合、受入れた記録媒体のフォーマットの種類を検出するフォーマット検出手段と、
該フォーマット検出手段がフォーマットの種類を検出した後、前記記録媒体にデータが記録されているか否かを検出するデータ検出手段と、
該データ検出手段がデータの記録を検出した場合、前記受付手段が受付けたフォーマットの種類、及び、前記フォーマット検出手段が検出したフォーマットの種類が同一であるか否かを判定する同一判定手段と、
該同一判定手段が同一でないと判定した場合、受入れた記録媒体に記録されているデータの一部を読出す読出手段と、
該読出手段が読出したデータの一部を外部へ出力する出力手段と
を備え、
前記受付手段は、該出力手段が前記データの一部を出力した後、フォーマット実行指示を再度受付けるようにしてあり、
前記受付手段がフォーマット実行指示を再度受付けた場合、前記フォーマット処理手段は、前記記録媒体のフォーマット処理を実行するようにしてあることを特徴とする記録媒体処理装置。
【請求項５】
前記読出手段がデータの一部を読出した後、受入れた記録媒体を外部へ取出せる状態にする状態制御手段を備え、
前記受付手段は、前記出力手段が前記データの一部を出力し、前記状態制御手段によって記録媒体が外部へ取出せる状態にされた後、フォーマット実行指示を再度受付けるようにしてあり、
前記受付手段がフォーマット実行指示を再度受付けた場合、前記受入部は記録媒体を受入れ、前記フォーマット処理手段は、受入れた記録媒体のフォーマット処理を実行するようにしてあることを特徴とする請求項３又は４記載の記録媒体処理装置。
【請求項６】
前記読出手段が読出したデータの一部を含むフォーマット確認画面データを作成する作成手段を備え、
前記出力手段は、該作成手段が作成したフォーマット確認画面データを出力するようにしてあることを特徴とする請求項３乃至５の何れかひとつに記載の記録媒体処理装置。
【請求項７】
データの記録を行う内部記憶部と、
前記受付手段がフォーマット実行指示を再度受付けた場合、記録媒体に記録されているデータを前記内部記憶部に記録する記録制御手段と
を備え、前記フォーマット処理手段は、前記記録制御手段が前記記録媒体に記録されているデータを前記内部記憶部に記録した後、前記記録媒体のフォーマット処理を実行するようにしてあることを特徴とする請求項１乃至６の何れかひとつに記載の記録媒体処理装置。
【請求項８】
外部から受入れた記録媒体のフォーマット実行指示を受付ける受付手段と、該受付手段が受付けたフォーマット実行指示に基づき前記記録媒体のフォーマット処理を行うフォーマット処理手段とを備える記録媒体処理装置において、
データの記録を行う内部記憶部と、
前記受付手段がフォーマット実行指示を受付けた場合、受入れた記録媒体にデータが記録されているか否かを検出するデータ検出手段と、
該データ検出手段がデータの記録を検出した場合、前記記録媒体に記録されているデータを前記内部記憶部に記録する記録制御手段と
を備え、前記フォーマット処理手段は、前記記録制御手段が前記記録媒体に記録されているデータを前記内部記憶部に記録した後、前記記録媒体のフォーマット処理を実行するようにしてあることを特徴とする記録媒体処理装置。
【請求項９】
記録媒体から前記内部記憶部に記録されたデータの前記記録媒体以外への記録を禁止する禁止手段を備えることを特徴とする請求項７又は８記載の記録媒体処理装置。
【請求項１０】
前記記録制御手段は、記録媒体から前記内部記憶部に記録したデータを、前記記録媒体のフォーマット処理が実行された後、前記記録媒体に記録するようにしてあり、
前記記録媒体が外部へ取出されたか否かを判定する取出判定手段と、
該取出判定手段が前記記録媒体は取出されたと判定した場合、前記内部記憶部に記録された前記データを消去する消去手段と
を備えることを特徴とする請求項７乃至９の何れかひとつに記載の記録媒体処理装置。
【発明の詳細な説明】
【技術分野】
【０００１】
本発明は、ＤＶＤレコーダなどの記録媒体処理装置に関し、より詳しくは、外部から受入れた記録媒体に対するデータ読出、データ書込、及びフォーマット処理を行う記録媒体処理装置に関する。
【背景技術】
【０００２】
ＤＶＤレコーダなどの記録媒体処理装置が外部から受入れ、データの読出及び書込を行う記録媒体のフォーマットとして、複数種類のフォーマットが存在する場合がある。このような場合、記録媒体処理装置は、複数のフォーマットに対応していることが好ましい。例えば、フレキシブルディスクのフォーマットは複数存在しており、フレキシブルディスクドライブ（記録媒体処理装置）の多くは複数のフォーマットに対応している（例えば、特許文献１参照）。
【特許文献１】特開昭６０−１５０２７０号公報
【０００３】
しかし、記録再生装置又は再生装置などの記録媒体処理装置が全種類のフォーマットに対応しておらず、対応していないフォーマットの記録媒体に対しては、読出を行えない場合もある。例えば、ＤＶＤ−ＲＷ（Digital Video Disc-ReWritable）のフォーマットには、ＶＲ（Video Recording）フォーマット及びビデオフォーマットがあるが、ビデオフォーマットはＶＲフォーマットよりも後で追加されたため、ＤＶＤ−ＲＷ対応の再生装置の中にはビデオフォーマットに対応していないものもある。
【発明の開示】
【発明が解決しようとする課題】
【０００４】
未対応のフォーマットの記録媒体に対しては、記録媒体のフォーマットを認識できないため、未フォーマットと見なされる場合が多い。この場合、実際には未対応のフォーマットでデータが記録されているが、ユーザが未フォーマットと誤解して、ＤＶＤレコーダなどでフォーマットを行う可能性がある。フォーマットを行った場合、記録媒体に記録されているデータが全て消去されるため、「フォーマットすると全てのデータは消去されます」など、フォーマットの実行前に確認メッセージを出力することも行われている。しかし、ユーザが未フォーマットと誤解している場合は、そのままフォーマットを行う可能性がある。また、ＶＲフォーマットをビデオフォーマットに変換しようとしたユーザが、誤ってフォーマットを行ってデータを消去する可能性もある。
【０００５】
本発明は斯かる事情に鑑みてなされたものであり、フォーマット実行指示を受付けた場合に記録媒体を外部へ取出せる状態にすることにより、ユーザの誤操作又は誤解などによるフォーマット処理の防止を図ることができる記録媒体処理装置を提供することを目的とする。
【０００６】
また、本発明は、フォーマット実行指示と共に受付けたフォーマットの種類と、フォーマット処理対象の記録媒体のフォーマットの種類とが同一でない場合に、記録媒体を外部へ取出せる状態にすることにより、ユーザの誤操作又は誤解などによるフォーマットの種類の変更の防止を図ることができる記録媒体処理装置を提供することを他の目的とする。
【０００７】
また、本発明は、フォーマット実行指示を受付けた場合、受入れた記録媒体に記録されているデータの一部を読出して出力し、その後フォーマット実行指示を再度受付けた場合にフォーマット処理を実行することにより、ユーザの誤操作又は誤解などによるフォーマット処理の防止を図ることができる記録媒体処理装置を提供することを他の目的とする。
【０００８】
また、本発明は、フォーマット実行指示と共に受付けたフォーマットの種類と、フォーマット処理対象の記録媒体のフォーマットの種類とが同一でない場合、受入れた記録媒体に記録されているデータの一部を読出して出力し、その後フォーマット実行指示を再度受付けた後にフォーマット処理を実行することにより、ユーザの誤操作又は誤解などによるフォーマット処理の防止及びフォーマットの種類の変更の防止を図ることができる記録媒体処理装置を提供することを他の目的とする。
【０００９】
また、本発明は、フォーマット処理対象の記録媒体に記憶されているデータの一部を含むフォーマット確認画面データを外部へ出力することにより、ユーザの誤操作又は誤解などによるフォーマット処理の防止を図ることができる記録媒体処理装置を提供することを他の目的とする。
【００１０】
また、本発明は、フォーマット処理対象の記録媒体に記録されているデータを内部記憶部に記録した後、前記記録媒体のフォーマット処理を実行することにより、フォーマット処理によって消去されたデータの復元が可能な記録媒体処理装置を提供することを他の目的とする。
【００１１】
また、本発明は、フォーマット処理対象の記録媒体にデータが記録されている場合、フォーマット処理の実行前に、前記記録媒体に記録されているデータを内部記憶部に記録することにより、フォーマット処理によって消去されたデータの復元が可能になる記録媒体処理装置を提供することを他の目的とする。
【００１２】
また、本発明は、記録媒体から内部記憶部に記録されたデータの前記記録媒体以外への記録を禁止することにより、記録媒体に記録されているデータの不正コピーの防止を図ることができる記録媒体処理装置を提供することを他の目的とする。
【００１３】
また、本発明は、記録媒体から内部記憶部に記録したデータを、フォーマット処理を行った前記記録媒体に記録した後、前記記録媒体が外部へ取出された場合に消去することにより、記録媒体に記録されているデータの不正コピーの防止を図ることができる記録媒体処理装置を提供することを他の目的とする。
【課題を解決するための手段】
【００１４】
本発明に係る記録媒体処理装置は、外部から記録媒体を受入れる受入部と、該受入部が受入れた記録媒体のフォーマット実行指示を受付ける受付手段と、該受付手段が受付けたフォーマット実行指示に基づき前記記録媒体のフォーマット処理を行うフォーマット処理手段とを備える記録媒体処理装置において、前記受付手段がフォーマット実行指示を受付けた場合、受入れた記録媒体を外部へ取出せる状態にする状態制御手段を備え、前記受付手段は、該状態制御手段によって記録媒体が外部へ取出せる状態にされた後、フォーマット実行指示を再度受付けるようにしてあり、前記受付手段がフォーマット実行指示を再度受付けた場合、前記受入部は記録媒体を受入れ、前記フォーマット処理手段は、受入れた記録媒体のフォーマット処理を実行するようにしてあることを特徴とする。
【００１５】
本発明に係る記録媒体処理装置は、外部から記録媒体を受入れる受入部と、該受入部が受入れた記録媒体のフォーマット実行指示及びフォーマットの種類の指定を受付ける受付手段と、該受付手段が受付けたフォーマットの種類の指定及びフォーマット実行指示に基づき前記記録媒体のフォーマット処理を行うフォーマット処理手段とを備える記録媒体処理装置において、前記受付手段がフォーマット実行指示を受付けた場合、受入れた記録媒体のフォーマットの種類を検出するフォーマット検出手段と、該フォーマット検出手段がフォーマットの種類を検出した後、前記記録媒体にデータが記録されているか否かを検出するデータ検出手段と、該データ検出手段がデータの記録を検出した場合、前記受付手段が受付けたフォーマットの種類、及び、前記フォーマット検出手段が検出したフォーマットの種類が同一であるか否かを判定する同一判定手段と、該同一判定手段が同一でないと判定した場合、受入れた記録媒体を外部へ取出せる状態にする状態制御手段とを備え、前記受付手段は、該状態制御手段によって記録媒体が外部へ取出せる状態にされた後、フォーマット実行指示を再度受付けるようにしてあり、前記受付手段がフォーマット実行指示を再度受付けた場合、前記受入部は記録媒体を受入れ、前記フォーマット処理手段は、受入れた記録媒体のフォーマット処理を実行するようにしてあることを特徴とする。
【００１６】
本発明に係る記録媒体処理装置は、外部から記録媒体を受入れる受入部と、該受入部が受入れた記録媒体のフォーマット実行指示を受付ける受付手段と、該受付手段が受付けたフォーマット実行指示に基づき前記記録媒体のフォーマット処理を行うフォーマット処理手段とを備える記録媒体処理装置において、前記受付手段がフォーマット実行指示を受付けた場合、受入れた記録媒体に記録されているデータの一部を読出す読出手段と、該読出手段が読出したデータの一部を外部へ出力する出力手段とを備え、前記受付手段は、該出力手段が前記データの一部を出力した後、フォーマット実行指示を再度受付けるようにしてあり、前記受付手段がフォーマット実行指示を再度受付けた場合、前記フォーマット処理手段は、前記記録媒体のフォーマット処理を実行するようにしてあることを特徴とする。
【００１７】
本発明に係る記録媒体処理装置は、外部から記録媒体を受入れる受入部と、該受入部が受入れた記録媒体のフォーマット実行指示及びフォーマットの種類の指定を受付ける受付手段と、該受付手段が受付けたフォーマットの種類の指定及びフォーマット実行指示に基づき前記記録媒体のフォーマット処理を行うフォーマット処理手段とを備える記録媒体処理装置において、前記受付手段がフォーマット実行指示を受付けた場合、受入れた記録媒体のフォーマットの種類を検出するフォーマット検出手段と、該フォーマット検出手段がフォーマットの種類を検出した後、前記記録媒体にデータが記録されているか否かを検出するデータ検出手段と、該データ検出手段がデータの記録を検出した場合、前記受付手段が受付けたフォーマットの種類、及び、前記フォーマット検出手段が検出したフォーマットの種類が同一であるか否かを判定する同一判定手段と、該同一判定手段が同一でないと判定した場合、受入れた記録媒体に記録されているデータの一部を読出す読出手段と、該読出手段が読出したデータの一部を外部へ出力する出力手段とを備え、前記受付手段は、該出力手段が前記データの一部を出力した後、フォーマット実行指示を再度受付けるようにしてあり、前記受付手段がフォーマット実行指示を再度受付けた場合、前記フォーマット処理手段は、前記記録媒体のフォーマット処理を実行するようにしてあることを特徴とする。
【００１８】
本発明に係る記録媒体処理装置は、前記読出手段がデータの一部を読出した後、受入れた記録媒体を外部へ取出せる状態にする状態制御手段を備え、前記受付手段は、前記出力手段が前記データの一部を出力し、前記状態制御手段によって記録媒体が外部へ取出せる状態にされた後、フォーマット実行指示を再度受付けるようにしてあり、前記受付手段がフォーマット実行指示を再度受付けた場合、前記受入部は記録媒体を受入れ、前記フォーマット処理手段は、受入れた記録媒体のフォーマット処理を実行するようにしてあることを特徴とする。
【００１９】
本発明に係る記録媒体処理装置は、前記読出手段が読出したデータの一部を含むフォーマット確認画面データを作成する作成手段を備え、前記出力手段は、該作成手段が作成したフォーマット確認画面データを出力するようにしてあることを特徴とする。
【００２０】
本発明に係る記録媒体処理装置は、データの記録を行う内部記憶部と、前記受付手段がフォーマット実行指示を再度受付けた場合、記録媒体に記録されているデータを前記内部記憶部に記録する記録制御手段とを備え、前記フォーマット処理手段は、前記記録制御手段が前記記録媒体に記録されているデータを前記内部記憶部に記録した後、前記記録媒体のフォーマット処理を実行するようにしてあることを特徴とする。
【００２１】
本発明に係る記録媒体処理装置は、外部から受入れた記録媒体のフォーマット実行指示を受付ける受付手段と、該受付手段が受付けたフォーマット実行指示に基づき前記記録媒体のフォーマット処理を行うフォーマット処理手段とを備える記録媒体処理装置において、データの記録を行う内部記憶部と、前記受付手段がフォーマット実行指示を受付けた場合、受入れた記録媒体にデータが記録されているか否かを検出するデータ検出手段と、該データ検出手段がデータの記録を検出した場合、前記記録媒体に記録されているデータを前記内部記憶部に記録する記録制御手段とを備え、前記フォーマット処理手段は、前記記録制御手段が前記記録媒体に記録されているデータを前記内部記憶部に記録した後、前記記録媒体のフォーマット処理を実行するようにしてあることを特徴とする。
【００２２】
本発明に係る記録媒体処理装置は、記録媒体から前記内部記憶部に記録されたデータの前記記録媒体以外への記録を禁止する禁止手段を備えることを特徴とする。
【００２３】
本発明に係る記録媒体処理装置は、前記記録制御手段は、記録媒体から前記内部記憶部に記録したデータを、前記記録媒体のフォーマット処理が実行された後、前記記録媒体に記録するようにしてあり、前記記録媒体が外部へ取出されたか否かを判定する取出判定手段と、該取出判定手段が前記記録媒体は取出されたと判定した場合、前記内部記憶部に記録された前記データを消去する消去手段とを備えることを特徴とする。
【００２４】
本発明においては、受付手段がフォーマット実行指示を受付けた場合、受入れた記録媒体を状態制御手段が外部へ取出せる状態にする。また、前記記録媒体を外部へ取出せる状態にした後、受付手段がフォーマット実行指示を再度受付けた場合、受入部は記録媒体を受入れ、受入れた記録媒体のフォーマット処理をフォーマット処理手段が実行する。例えば記録媒体が載置されたトレイを外部へ搬出し、前記記録媒体を外部へ取出せる状態にすることが可能である。トレイを外部へ搬出するなどして、記録媒体を外部へ取出せる状態にした場合、記録媒体のフォーマットは行えないため、フォーマット実行指示を受付けた場合であっても、すぐにフォーマット処理が開始されることはない。
【００２５】
本発明においては、受付手段がフォーマット実行指示を受付けた場合、受入れた記録媒体のフォーマットの種類をフォーマット検出手段で検出し、前記記録媒体にデータが記録されているか否かをデータ検出手段で検出する。データが記録されている場合、受付手段が受付けたフォーマットの種類、及び、フォーマット検出手段が検出したフォーマットの種類が同一であるか否かを同一判定手段で判定し、同一でない場合、前記記録媒体を状態制御手段が外部へ取出せる状態にする。例えばＤＶＤ−ＲＷのＶＲフォーマット及びビデオフォーマットなどのフォーマットの種類が同一であるか否かを判定することが可能である。また、前記記録媒体が外部へ取出せる状態にされた後、受付手段がフォーマット実行指示を再度受付けた場合、受入部は記録媒体を受入れ、受入れた記録媒体のフォーマット処理をフォーマット処理手段が実行する。
【００２６】
本発明においては、受付手段がフォーマット実行指示を受付けた場合、受入れた記録媒体に記録されているデータの一部を読出手段で読出し、読出したデータの一部を出力手段が外部へ出力する。また、前記データの一部が出力された後、受付手段がフォーマット実行指示を再度受付けた場合、前記記録媒体のフォーマット処理をフォーマット処理手段が実行する。例えば記録媒体に動画データ又は画像データが記録されている場合、動画データの画像フレームの一部又は画像データの一部を読出して、テレビなどの表示装置に出力することが可能である。フォーマット処理を開始する前に、記録媒体に記録されているデータの一部を確認することが可能になる。
【００２７】
本発明においては、前記受付手段がフォーマット実行指示を受付けた場合、受入れた記録媒体のフォーマットの種類をフォーマット検出手段で検出し、前記記録媒体にデータが記録されているか否かをデータ検出手段で検出する。データの記録が検出された場合、受付手段が受付けたフォーマットの種類、及び、フォーマット検出手段が検出したフォーマットの種類が同一であるか否かを同一判定手段で判定し、同一でないと判定された場合、前記記録媒体に記録されているデータの一部を読出手段で読出し、読出したデータの一部を出力手段が外部へ出力する。また、前記データの一部が出力された後、受付手段がフォーマット実行指示を再度受付けた場合、前記記録媒体のフォーマット処理をフォーマット処理手段が実行する。
【００２８】
本発明においては、読出手段がデータの一部を読出した後、状態制御手段が記録媒体を外部へ取出せる状態にする。出力手段が前記データの一部を出力し、状態制御手段が記録媒体を外部へ取出せる状態にした後、受付手段がフォーマット実行指示を再度受付けた場合、受入部は記録媒体を受入れ、受入れた記録媒体のフォーマット処理をフォーマット処理手段が実行する。記録媒体を外部へ取出せる状態にした場合、前記記録媒体からデータを読出せなくなるため、記録媒体からデータの一部を読出した後、前記記録媒体を外部へ取出せる状態にする。
【００２９】
本発明においては、読出手段が読出したデータの一部を含むフォーマット確認画面データを作成手段で作成し、作成したフォーマット確認画面データを出力手段が外部へ出力する。フォーマット確認画面を出力してフォーマット実行指示を再度受付ける際、フォーマット確認画面には記録媒体に記録されているデータの一部が含まれているため、ユーザは、フォーマット処理を再度指示する前に記録媒体の内容を確認することができる。また、フォーマット確認画面には、例えばフォーマットによってデータが消去されることの説明、複数種類の各フォーマットの説明などを含めることも可能である。
【００３０】
本発明においては、データの記録を行う内部記憶部を備えており、受付手段がフォーマット実行指示を再度受付けた場合、記録制御手段が記録媒体に記録されているデータを内部記憶部に記録する。フォーマット処理手段は、記録制御手段が記録媒体に記録されているデータを内部記憶部に記録した後、前記記録媒体のフォーマット処理を実行する。記録媒体のフォーマット処理を実行する前に、前記記録媒体に記録されているデータは内部記憶部に記録される。例えば、ＤＶＤ（Digital Video Disc）及びＨＤＤ（Hard Disk Drive）を備えた記録媒体処理装置の場合、ＤＶＤをフォーマットする前に、前記ＤＶＤに記録されているデータをＨＤＤに記録することが可能である。内部記憶部に記録したデータは、フォーマット処理を実行した記録媒体へ戻すことが可能である。
【００３１】
本発明においては、データの記録を行う内部記憶部を備え、受付手段がフォーマット実行指示を受付けた場合、受入れた記録媒体にデータが記録されているか否かをデータ検出手段で検出し、データの記録が検出された場合、記録制御手段が前記記録媒体に記録されているデータを内部記憶部に記録する。前記記録媒体に記録されているデータが内部記憶部に記録された後、前記記録媒体のフォーマット処理をフォーマット処理手段が実行する。フォーマット処理対象の記録媒体にデータが記録されている場合は、フォーマット処理を実行する前に、前記記録媒体に記録されているデータが内部記憶部に記録される。また、内部記憶部に記録したデータは、フォーマット処理を実行した記録媒体へ戻すことが可能である。
【００３２】
本発明においては、記録媒体から内部記憶部に記録されたデータの前記記録媒体以外への記録を禁止手段で禁止する。記録媒体から内部記憶部に記録されたデータは、前記記録媒体以外に記録できないため、前記データは、内部記憶部に記憶しておくか、元の記録媒体に戻すことになる。
【００３３】
本発明においては、記録制御手段は、記録媒体から内部記憶部に記録したデータを、前記記録媒体のフォーマット処理が実行された後、前記記録媒体に記録する。また、前記記録媒体が外部へ取出されたか否かを取出判定手段で判定し、前記記録媒体は取出されたと判定された場合、内部記憶部に記録された前記データを消去手段で消去する。
【発明の効果】
【００３４】
本発明によれば、フォーマット実行指示を受付けた場合に記録媒体を外部へ取出せる状態にすることにより、すぐにフォーマット処理は開始されず、その後フォーマット実行指示を再度受付けた場合にフォーマット処理が開始されるため、ユーザの誤操作又は誤解などによるフォーマット処理の防止を図ることができる。
【００３５】
本発明によれば、フォーマット実行指示と共に受付けたフォーマットの種類と、フォーマット処理対象の記録媒体のフォーマットの種類とが同一でない場合、記録媒体を外部へ取出せる状態にすることにより、すぐにフォーマット処理は開始されず、その後フォーマット実行指示を再度受付けた場合にフォーマット処理が開始されるため、ユーザの誤操作又は誤解などによるフォーマットの種類の変更の防止を図ることができる。
【００３６】
本発明によれば、フォーマット実行指示を受付けた場合、受入れた記録媒体に記録されているデータの一部を読出して出力し、その後フォーマット実行指示を再度受付けた場合にフォーマット処理を実行することにより、フォーマット処理を実行する前に、前記記録媒体に記録されているデータ内容を確認することが可能となり、ユーザの利便性が向上すると共に、ユーザの誤操作又は誤解などによるフォーマット処理の防止を図ることができる。
【００３７】
本発明によれば、フォーマット実行指示と共に受付けたフォーマットの種類と、フォーマット処理対象の記録媒体のフォーマットの種類とが同一でない場合、受入れた記録媒体に記録されているデータの一部を読出して出力し、その後フォーマット実行指示を再度受付けた場合にフォーマット処理を実行することにより、フォーマット処理を実行する前に、前記記録媒体に記録されているデータ内容を確認することが可能となり、ユーザの利便性が向上すると共に、ユーザの誤操作又は誤解などによるフォーマット処理の防止及びフォーマットの種類の変更の防止を図ることができる。
【００３８】
本発明によれば、フォーマット処理対象の記録媒体に記憶されているデータの一部を含むフォーマット確認画面データを外部へ出力することにより、ユーザは、フォーマット処理を再度指示する前に記録媒体の内容を確認することができるため、ユーザの利便性が向上すると共に、ユーザの誤操作又は誤解などによるフォーマット処理の防止を図ることができる。
【００３９】
本発明によれば、フォーマット処理対象の記録媒体に記録されているデータを内部記憶部に記録した後、前記記録媒体のフォーマット処理を実行することにより、ユーザの誤操作又は誤解などによって誤って前記記録媒体のフォーマット処理を行った場合であっても、フォーマット処理によって消去されたデータの復元が可能になる。
【００４０】
本発明によれば、フォーマット処理対象の記録媒体にデータが記録されている場合、フォーマット処理の実行前に、前記記録媒体に記録されているデータを内部記憶部に記録することにより、ユーザの誤操作又は誤解などによって誤って前記記録媒体のフォーマット処理を行った場合であっても、フォーマット処理によって消去されたデータの復元が可能になる。
【００４１】
本発明によれば、記録媒体から内部記憶部に記録されたデータの前記記録媒体以外への記録を禁止することにより、記録媒体から内部記憶部に記録されたデータは、内部記憶部に記憶しておくか、元の記録媒体に戻すことになり、記録媒体に記録されているデータの不正コピーの防止を図ることができる。
【００４２】
本発明によれば、記録媒体から内部記憶部に記録したデータを、フォーマット処理を行った前記記録媒体に記録した後、前記記録媒体が外部へ取出された場合に、消去することにより、記録媒体に記録されているデータの不正コピーの防止を図ることができる。
【発明を実施するための最良の形態】
【００４３】
以下、本発明をその実施の形態を示す図面に基づいて具体的に説明する。本説明では、ＶＲフォーマットされたＤＶＤ−ＲＷのフォーマットを、ビデオフォーマットに変更する場合を例にして説明を行う。
【００４４】
（実施の形態１）
図１は本発明に係る記録再生装置（記録媒体処理装置）の例を示すブロック図である。記録再生装置は、ＤＶＤ−ＲＷなどの記録媒体２０が載置されるトレイ２２と、トレイ２２をスライドさせて装置外へ搬出して記録媒体２０を外部へ取出せる状態にしたり、装置内へ搬入して記録媒体を受入れるトレイ駆動部（受入部）２４と、受入れたトレイ２２に載置されている記録媒体２０からデータを読出したり、記録媒体２０にデータを書込む読出／書込部１８と、読出／書込部１８が記録媒体２０に書込むデータをエンコードするエンコーダ１２と、読出／書込部１８が記録媒体２０から読出したデータをデコードするデコーダ１４と、記録媒体２０のフォーマットの種類（以下、フォーマットという）を検出するフォーマット検出部１６と、前記各構成部１２，１４，１６１８，２４と接続され、前記各構成部の制御処理を実行する制御部１０とを備える。
【００４５】
制御部１０は、制御用プログラム及び制御用データなどが記録されたＲＯＭ、及び、一時的にデータを記憶するＲＡＭを備え、記録及び再生に関係する前記各構成部の制御などを含む各種処理を実行する。また、制御部（受付手段）１０は、本装置に設けられた操作部への操作入力、又は、リモートコントローラから受信した操作入力に応じて、前記各種処理を行う。
【００４６】
記録再生装置は、ＤＶＤ−ＲＷのＶＲフォーマット及びビデオフォーマットの両方に対応しており、フォーマット検出部１６は、例えば記録媒体２０のフォーマットがＶＲフォーマット又はビデオフォーマットであることを検出し、検出結果を制御部１０に送る。エンコーダ１２及びデコーダ１４は例えば夫々ＭＰＥＧ（Motion Pictures Expert Group）データのエンコード及びデコードを行う。また、デコーダ１４は、例えば制御部１０のＲＯＭに記憶されている静止画像データのデコードなども行う。記録再生装置は、テレビなどの表示装置と接続されており、デコーダ１４から出力された出力データは、最終的には表示装置に出力され、表示される。記録再生装置は、表示装置とは別体であってもよいし、表示装置と一体的であってもよい。また、エンコーダ１２には、図示しない内蔵チューナの受信データ又は外部からの入力データが入力される。
【００４７】
制御部（状態制御手段）１０は、フォーマット指示を受付けた場合、トレイ駆動部２４を制御してトレイ２２を搬出状態にし、記録媒体２０を外部へ取出せる状態にする。また、制御部１０は、フォーマット指示を受付けた場合、例えばＲＯＭに記憶されている「フォーマットすると全てのデータは消去されます。フォーマットを行いますか？」などのメッセージと、フォーマットをする／しないの選択欄と、ＶＲフォーマット又はビデオフォーマットの選択欄とを含んだ確認画面をデコーダ１４から出力させる。また、例えばビデオフォーマット及びＶＲフォーマットの簡単な説明を確認画面に含めることも可能である。
【００４８】
トレイ２２が搬出状態にされ、確認画面が表示された状態で、フォーマットの実行指示（確認画面のフォーマットを“する”の選択）を受付けた場合、制御部１０は、トレイ駆動部２４を制御してトレイ２２を搬入状態にし、読出／書込部（フォーマット処理手段）１８を制御して、トレイ２２に載置されている記録媒体２０のフォーマットを行う。フォーマットは、確認画面で設定されているＶＲフォーマット又はビデオフォーマットの何れかで行われる。
【００４９】
また、トレイ２２が搬出状態にされ、確認画面が表示された状態で、フォーマットのキャンセル指示（確認画面のフォーマットを“しない”の選択）を受付けた場合、制御部１０は、ＲＯＭに記憶されている「フォーマットはキャンセルされました。」などのメッセージを含んだ表示画面をデコーダ１４から出力させる。ユーザは、搬出状態のトレイ２２からフォーマットをキャンセルした記録媒体２２を取出すことが可能である。フォーマットの操作受付時にトレイ２２を搬出させることにより、ユーザの注意を引くことができ、また、トレイ２２が搬出状態ではフォーマットが行えないため、ユーザの不注意によるフォーマットの防止を図ることができる。
【００５０】
（実施の形態２）
フォーマット操作を受付けた場合に、フォーマット対象の記録媒体２０に記録されているデータの一部を出力することも可能である。以下、実施の形態１（図１）と同様の記録再生装置を例にして、フォーマット操作を受付けた場合のフォーマット対象の記録媒体２０に記録されているデータの一部の出力について説明を行う。
【００５１】
フォーマット指示を受付けた場合、制御部１０は、読出／書込部（読出手段）１８を制御して、トレイ２２に載置されている記録媒体２０に記録されているデータの一部を読出させ、読出されたデータをデコーダ（出力手段）１４から出力させる。例えば、記録媒体２０に記録されているＭＰＥＧデータの先頭フレームを出力させたり、ＭＰＥＧデータのチャプター画像をサムネイル表示させることが可能である。
【００５２】
また、制御部１０は、フォーマット指示を受付けた場合、例えばＲＯＭに記憶されている「フォーマットすると全てのデータは消去されます。フォーマットを行いますか？」などのメッセージと、フォーマットをする／しないの選択欄と、ＶＲフォーマット又はビデオフォーマットの選択欄とを含んだ確認画面をデコーダ１４から出力させる。また、例えばビデオフォーマット及びＶＲフォーマットの説明を確認画面に含めることも可能である。
【００５３】
上述した記録媒体２０に記録されているデータの一部と確認画面（フォーマット確認画面データ）とは任意に組合わせて出力することが可能である。例えば、制御部（作成手段）１０が、記録媒体２０に記録されているＭＰＥＧデータの先頭フレームを背景にした確認画面を作成したり、ＭＰＥＧデータのチャプター画像のサムネイル表示欄を含んだ確認画面を作成し、外部へ出力することが可能である。
【００５４】
確認画面が表示された状態で、フォーマットの実行指示（確認画面のフォーマットを“する”の選択）を受付けた場合、制御部１０は、読出／書込部（フォーマット処理手段）１８を制御して、トレイ２２に載置されている記録媒体２０のフォーマットを行う。フォーマットは、確認画面で指定されているＶＲフォーマット又はビデオフォーマットの何れかである。
【００５５】
また、確認画面が表示された状態で、フォーマットのキャンセル指示を受付けた場合、制御部１０は、ＲＯＭに記憶されている「フォーマットはキャンセルされました。」などのメッセージを含んだ表示画面をデコーダ１４から出力させる。フォーマットの操作受付時に、記録媒体２０に記録されているデータの一部を出力させることにより、ユーザは記録媒体２０に記録されているデータ内容を確認することができ、ユーザの利便性が向上すると共に、ユーザの不注意によるフォーマットの防止を図ることができる。
【００５６】
上述した実施の形態１及び２を組合わせることも可能である。例えば、制御部（状態制御手段）１０は、上述した実施の形態２において、フォーマット指示を受付けた場合、読出／書込部（読出手段）１８による記録媒体２０のデータの一部の読出が完了した後、トレイ２２を搬出状態にすることが可能である。
【００５７】
また、上述した実施の形態１及び２において、フォーマット指示を受付けた場合、制御部（データ検出手段）１０が読出／書込部１８を制御して前記記録媒体２０にデータが記録されていることを検出した後、フォーマット検出部１６が検出したフォーマット、及び、フォーマット実行指示と共に指定されたフォーマットが同一であるか否かを制御部（同一判定手段）１０で判定し、同一でない場合に、上述したトレイ２２の搬出及び／又は記録媒体２０のデータの一部の出力を行うことも可能である。
【００５８】
（実施の形態３）
フォーマット操作を受付けた場合に、フォーマット対象の記録媒体２０に記録されているデータを、他の記録媒体にバックアップすることも可能である。図２は、フォーマット操作を受付けた場合に、フォーマット対象の記録媒体２０に記録されているデータをバックアップする記録再生装置（記録媒体処理装置）の構成例を示すブロック図である。図２に示す記録再生装置の構成は実施の形態１（図１）と大部分は同様であるが、転送部３４、第２読出／書込部３２、及びハードディスク３０が追加されている。また、第１読出／書込部１９は、図１に示す読出／書込部１８と同様である。
【００５９】
第２読出／書込部３２は、ハードディスク（内部記憶部）３０からのデータの読出、及び、ハードディスク３０へのデータの書込を行う。また、転送部３４は、エンコーダ１２、デコーダ１４、第１読出／書込部１９、及び第２読出／書込部３２と接続されており、エンコーダ１２から出力されたデータを、第１読出／書込部１９又は第２読出／書込部３２へ転送したり、第１読出／書込部１９又は第２読出／書込部３２から読出されたデータを、デコーダ１４へ転送したり、第１読出／書込部１９及び第２読出／書込部３２間でデータを転送させる。転送部３４のデータ転送、及び、第２読出／書込部３２のデータ読出及び書込は制御部（記録制御手段）１０によって制御される。
【００６０】
記録媒体２０に対するフォーマット指示を受付けた場合、制御部１０は、第１読出／書込部１９を制御して、フォーマット前に、トレイ２２に載置されている記録媒体２０に記憶されているデータを読出し、また転送部３４及び第２読出／書込部３２を制御して、前記第１読出／書込部１９が読出したデータをハードディスク３０に書込み、さらに第１読出／書込部（フォーマット処理手段）１９を制御して、データが読出された後に記録媒体２０のフォーマットを行う。
【００６１】
記録媒体２０がフォーマットされた場合であっても、前記記録媒体２０に記録されていたデータをハードディスク３０にバックアップできるため、ユーザの不注意によってフォーマットされた場合であっても、元のデータを復元することが可能になる。また、例えばＶＲフォーマットからビデオフォーマットへの変換を行う場合は、記録媒体２０のフォーマットの完了後、制御部１０の第１読出／書込部１９及び第２読出／書込部３２の制御により、ハードディスク３０にバックアップされているデータを記録媒体２０に記録することが可能である。
【００６２】
記録媒体２０からハードディスク３０にバックアップされたデータは、例えば制御部（禁止手段）１０の制御によって、前記記録媒体２０以外への記録を禁止することも可能である。また、ハードディスク３０にバックアップしたデータを記録媒体２０に記録した後、例えば前記記録媒体２０が載置されたトレイ２２が搬出状態になるなどして制御部（取出判定手段）１０が前記記録媒体２０は取出されたと判定した場合、ハードディスク３０にバックアップした前記データを制御部（消去手段）１０の第２読出／書込部３２の制御により消去することも可能である。
【００６３】
上述した実施の形態では、フォーマット時にバックアップを行っているが、バックアップをする／しないをユーザが選択することも可能である。バックアップをする／しないの受付は、フォーマットをする／しないの選択、及び、ＶＲフォーマット／ビデオフォーマットの選択と同様に、確認画面で受付けることが可能である。バックアップをしない場合は、フォーマットがすぐに開始され、短時間でフォーマットが完了する。
【００６４】
また、上述した実施の形態３のフォーマット時のバックアップは、上述した実施の形態１のフォーマット操作時のトレイ２２の搬出、及び／又は、上述した実施の形態２の記録媒体２０のデータの一部の出力と組合わせることも可能である。
【図面の簡単な説明】
【００６５】
【図１】本発明に係る記録再生装置（記録媒体処理装置）の例を示すブロック図である。
【図２】フォーマット操作を受付けた場合に、フォーマット対象の記録媒体に記録されているデータをバックアップする記録再生装置（記録媒体処理装置）の構成例を示すブロック図である。
【符号の説明】
【００６６】
１０  制御部
１２  エンコーダ
１４  デコーダ
１６  フォーマット検出部
１８  読出／書込部
１９  第１読出／書込部
２０  記録媒体
２２  トレイ
２４  トレイ駆動部
３０  ハードディスク
３２  第２読出／書込部
３４  転送部
【図１】
2005259290.tif 000003
【図２】
2005259290.tif 000004